(57)【要約】  コロニー検査装置（１００）は、細菌コロニーが含まれた複数の検体のそれぞれについて各検体を特定する情報を取得する。さらに、コロニー検査装置（１００）は、取得した検体を特定する情報のそれぞれにおいて、検体を製造した施設から、該検体に代表される品物を出荷する相手先に到着するまでにかかる時間に基づいて、検体を特定する情報を並べる。さらに、コロニー検査装置（１００）は、並べた検体を特定する情報を一覧表示する。
2015040678.tif 000002
【特許請求の範囲】
【請求項１】
コンピュータに
細菌コロニーが培養された複数の検体のそれぞれについて各検体を特定する情報を取得し、
取得した前記検体を特定する情報のそれぞれにおいて、前記検体を製造した施設から、該検体に代表される品物を出荷する相手先に到着するまでにかかる時間に基づいて、前記検体を特定する情報を並べ、
並べた前記検体を特定する情報を一覧表示する
処理を実行させることを特徴とする、コロニー検査プログラム。
【請求項２】
前記並べる処理は、前記時間が短い順に前記検体を特定する情報を並べることを特徴とする請求項１に記載のコロニー検査プログラム。
【請求項３】
前記並べる処理は、前記時間が長い順に前記検体を特定する情報を並べることを特徴とする請求項１に記載のコロニー検査プログラム。
【請求項４】
前記並べる処理は、前記時間が同一である前記検体を特定する情報を並べる場合に、前記検体に代表される品物の賞味期限または消費期限が短い順に前記検体を特定する情報を並べることを特徴とする請求項１に記載のコロニー検査プログラム。
【請求項５】
前記検体を特定する情報には、一つの前記検体について複数種類の細菌をそれぞれ培養したシャーレの画像が対応付けられており、
前記並べる処理は、一つの前記検体について複数種類の細菌を培養したシャーレの画像のうちのいずれか一つで、異常判定がなされた場合に、該検体についての残りの種類の細菌を培養した前記検体を特定する情報を前記一覧の上位または下位に並べることを特徴とする請求項１に記載のコロニー検査プログラム。
【請求項６】
細菌コロニーが培養された複数の検体のそれぞれについて各検体を特定する情報を取得する取得部と、
前記取得部が取得した前記検体を特定する情報のそれぞれにおいて、前記検体を製造した施設から、該検体に代表される品物を出荷する相手先に到着するまでにかかる時間に基づいて、前記検体を特定する情報を並べる整列部と、
前記整列部が並べた前記検体を特定する情報を一覧表示する表示制御部と
を有することを特徴とする、コロニー検査装置。
【請求項７】
前記整列部は、前記時間が短い順に前記検体を特定する情報を並べることを特徴とする請求項６に記載のコロニー検査装置。
【請求項８】
前記整列部は、前記時間が長い順に前記検体を特定する情報を並べることを特徴とする請求項６に記載のコロニー検査装置。
【請求項９】
前記整列部は、前記時間が同一である前記検体を特定する情報を並べる場合に、前記検体に代表される品物の賞味期限または消費期限が短い順に前記検体を特定する情報を並べることを特徴とする請求項６に記載のコロニー検査装置。
【請求項１０】
前記検体を特定する情報には、一つの前記検体について複数種類の細菌をそれぞれ培養したシャーレの画像が対応付けられており、
前記整列部は、一つの前記検体について複数種類の細菌を培養したシャーレの画像のうちのいずれか一つで、異常判定がなされた場合に、該検体についての残りの種類の細菌を培養した前記検体を特定する情報をリストの上位または下位に並べることを特徴とする請求項６に記載のコロニー検査装置。
【請求項１１】
コンピュータが
細菌コロニーが培養された複数の検体のそれぞれについて各検体を特定する情報を取得し、
取得した前記検体を特定する情報のそれぞれにおいて、前記検体を製造した施設から、該検体に代表される品物を出荷する相手先に到着するまでにかかる時間に基づいて、前記検体を特定する情報を並べ、
並べた前記検体を特定する情報を一覧表示する
処理を実行することを特徴とする、コロニー検査方法。
【請求項１２】
前記並べる処理は、前記時間が短い順に前記検体を特定する情報を並べることを特徴とする請求項１１に記載のコロニー検査方法。
【請求項１３】
前記並べる処理は、前記時間が長い順に前記検体を特定する情報を並べることを特徴とする請求項１１に記載のコロニー検査方法。
【請求項１４】
前記並べる処理は、前記時間が同一である前記検体を特定する情報を並べる場合に、前記検体に代表される品物の賞味期限または消費期限が短い順に前記検体を特定する情報を並べることを特徴とする請求項１１に記載のコロニー検査方法。
【請求項１５】
前記検体を特定する情報には、一つの前記検体について複数種類の細菌をそれぞれ培養したシャーレの画像が対応付けられており、
前記並べる処理は、一つの前記検体について複数種類の細菌を培養したシャーレの画像のうちのいずれか一つで、異常判定がなされた場合に、該検体についての残りの種類の細菌を培養した前記検体を特定する情報をリストの上位または下位に並べることを特徴とする請求項１１に記載のコロニー検査方法。
【発明の詳細な説明】
【技術分野】
【０００１】
本発明は、コロニー検査プログラム、コロニー検査装置およびコロニー検査方法に関する。
【背景技術】
【０００２】
品物の出荷時には、衛生検査が行われる。例えば、品物として食品を例に挙げると、食品の一部を検体として採取し、検体をシャーレに準備された培地に塗抹または混釈し、シャーレ上で検体に含まれる細菌を適温に保った上で所定の期間にわたって培養する。その後、培養が終わったシャーレ内の細菌コロニーを計測することで衛生検査が実施される。【０００３】
このように、衛生検査が実施される場合には、検体の受付順に、検体を特定する情報、例えば検体番号等がリスト化される。かかるリストを用いて、検査員は、リストに登載された検体の順に衛生検査を行う。検査結果は検査責任者によってその結果が妥当かどうかをリスト順に判断され、最終的な検査の合否を判定する。
【先行技術文献】
【特許文献】
【０００４】
【特許文献１】特開平９−１８７２７０号公報
【特許文献２】特開２００７−０９４５１３号公報
【発明の概要】
【発明が解決しようとする課題】
【０００５】
しかしながら、上記の技術では、検体の検査順序を適切に設定できない場合がある。【０００６】
すなわち、上述のように、検体の受付順に検体をリスト化するのでは、次のような不利益が生じる場合がある。例えば、品物の出荷後に衛生検査が行われる場合には、既に相手先に届いている品物を放置したままで相手先に届いていない他の品物の衛生検査を先に行ってしまう事態が起こりうる。この場合には、放置された品物の衛生検査が遅れ、出荷元施設から届いた品物を店頭に陳列したり、出荷元施設から届いた品物を二次加工したりする時期も遅れるという不利益が生じる。また、品物の出荷前に衛生検査が行われる場合には、相手先への輸送期間が長い品物を放置したままで輸送機関が短い品物の衛生検査を先に行ってしまう事態が起こりうる。この場合にも、放置された品物の相手先への到着が予定に間に合わず、相手先で店頭への陳列や二次加工を予定通りに実施できないという不利益が生じる。【０００７】
なお、ここでは、リストに登載された検体の順に衛生検査が実施される場合について例示したが、リストに登載された検体の順に検体を検査する場合にも、撮影が終了した検体の順に衛生検査が実施されることになるので、同様の不利益が生じる。【０００８】
１つの側面では、本発明は、検体の検査順序または撮影順序を適切に設定できるコロニー検査プログラム、コロニー検査装置およびコロニー検査方法を提供することを目的とする。
【課題を解決するための手段】
【０００９】
第１の案では、コロニー検査プログラムは、コンピュータに細菌コロニーが培養された複数の検体のそれぞれについて各検体を特定する情報を取得させる。さらに、コロニー検査プログラムは、コンピュータに取得した検体を特定する情報のそれぞれにおいて、検体を製造した施設から、該検体に代表される品物を出荷する相手先に到着するまでにかかる時間に基づいて、検体を特定する情報を並べさせる。さらに、コロニー検査プログラムは、コンピュータに並べた検体を特定する情報を一覧表示させる。
【発明の効果】
【００１０】
検体の検査順序または撮影順序を適切に設定できる。
【図面の簡単な説明】
【００１１】
【図１】図１は、実施例１に係るシステム全体の構成を示す図である。
【図２】図２は、実施例１に係るコロニー検査装置の構成を示す機能ブロック図である。
【図３】図３は、検査ＤＢのデータ構造の一例を示す図である。
【図４】図４は、整列部が作成した検体リストの第一の例を示す図である。
【図５】図５は、結果判定ウィンドウの表示例を示す図である。
【図６】図６は、結果判定リストの第二の例を示す図である。
【図７】図７は、結果判定リストの第三の例を示す図である。
【図８】図８は、コロニー検査装置が結果判定リストを表示するまでの処理動作の例を示す図である。
【図９】図９は、結果判定処理の一例を示す図である。
【図１０】図１０は、整列部が作成した検体リストの第二の例を示す図である。
【図１１】図１１は、結果判定リストの第四の例を示す図である。
【図１２】図１２は、結果判定リストの第五の例を示す図である。
【図１３】図１３は、結果判定リストの第六の例を示す図である。
【図１４】図１４は、コロニー検査装置が結果判定リストを表示するまでの処理動作の例を示す図である。
【図１５】図１５は、一つのロットに対して複数の輸送時間がある場合の検体リストを示した図である。
【図１６】図１６は、一つのロットに対して複数の輸送時間がある場合に整列部が並び替えをおこなった検体リストの第一の例を示す図である。
【図１７】図１７は、一つのロットに対して複数の輸送時間がある場合に整列部が並び替えをおこなった検体リストの第二の例を示す図である。
【図１８】図１８は、消費期限を項目に含む検体リストの一例を示す図である。
【図１９】図１９は、消費期限を項目に含む検体リストを、整列部が並び替えた場合の一例を示す図である。
【図２０】図２０は、コロニー検査装置に係るコンピュータのハードウェア構成を示す図である。
【発明を実施するための形態】
【００１２】
以下に、本願の開示するコロニー検査プログラム、コロニー検査装置およびコロニー検査方法の実施例を図面に基づいて詳細に説明する。なお、この実施例によりこの発明が限定されるものではない。各実施例は、処理内容を矛盾させない範囲で適宜組み合わせることが可能である。
【実施例１】
【００１３】
（システム全体の構成）
次に、実施例１に係るシステム全体の構成について説明する。図１は、実施例１に係るシステム全体の構成を示す図である。図１に示すように、システム１０は、クライアント端末２００ａ〜２００ｃと、配送管理システム３００と、ネットワーク５０と、コロニー検査装置１００とを有する。【００１４】
クライアント端末２００ａ〜２００ｃは、ネットワーク５０を介してコロニー検査装置１００に接続される。また、コロニー検査装置１００は、配送管理システム３００に接続される。コロニー検査装置１００は、各品物の検査結果を配送管理システム３００に通知する。各クライアント端末２００は、ネットワーク５０を介してコロニー検査装置１００にアクセスし、検査結果をコロニー検査装置１００に入力する。配送管理システム３００は、コロニー検査装置１００から検査結果を取得する。なお、以降では、検査結果を入力するためのウィンドウを検査ウィンドウと呼ぶ。【００１５】
（衛生検査）
次に、衛生検査の準備として検査員がおこなう作業について具体例を挙げて説明する。例えば、まず、検査員は、食品の一部を検体として採取して検体Ｎｏを付す。次いで、検査員は、一般生菌、大腸菌などの各種検査項目にあわせて、採取した検体を、例えば混釈法の場合、溶解させた培地とともにシャーレに入れる。またこの際、該当するシャーレが判別できるように、シャーレ蓋に検体Ｎｏを記入する。次いで、検査員は、各シャーレを菌が育ちやすい温度で１〜２日程度保温することにより、各シャーレ内の菌を培養する。培養後、検査員は、検体リストに従って各シャーレのコロニー数を目視またはコロニーカウンタを使ってカウントする。【００１６】
（コロニー検査装置の機能構成）
実施例１に係るコロニー検査装置１００の機能構成の一例について説明する。図２は、実施例１に係るコロニー検査装置の構成を示す機能ブロック図である。図２に示すように、コロニー検査装置１００は、Ｉ／Ｆ(Interface)１０１と、表示部１０２、出力部１０３と、制御部１１０と、記憶部１２０とを有する。Ｉ／Ｆ１０１は、ネットワーク５０に接続され、ネットワーク５０を介して各端末装置２００にデータを送信するための通信インターフェースである。表示部１０２は、コロニー検査装置１００の検査ウィンドウをモニタに表示する。また、出力部１０３は、コロニー検査装置１００が作成した検体リスト１２３を出力する。【００１７】
（記憶部の各構成）
記憶部１２０は、検査ＤＢ(Database)１２１と、表示データ１２２と、検体リスト１２３とを記憶する。記憶部１２０は、例えば、ＲＡＭ（Random  Access  Memory）、ＲＯＭ（Read  Only  Memory）、フラッシュメモリ（Flash  Memory）などの半導体メモリ素子、ハードディスクや光ディスクなどの記憶装置に対応する。【００１８】
検査ＤＢ１２１は、検体ごとに検査項目、検査結果および輸送時間等を対応付けて記憶するためのデータベースである。図３は、検査ＤＢのデータ構造の一例を示す図である。図３に示すように、検査ＤＢ１２１は、検体Ｎｏと、検体名と、ロットと、出荷工場と、届け先と、一般生菌コロニー数と、大腸菌コロニー数と、黄色ブドウ球菌コロニー数と、検査結果と、輸送時間と、シャーレ画像１と、シャーレ画像２と、シャーレ画像３とを対応付ける。【００１９】
「検体Ｎｏ」は、検体ごとに一意に付される番号である。検体Ｎｏは、検査受入日で検体ごとに一意に付されてもよい。「検体名」は、検査対象の品物を示す。「ロット」は、検査対象の品物が同じものに一意に付される符号である。「出荷工場」は、品物を出荷する工場の場所を示す。「届け先」は、品物を届ける場所を示す。「一般生菌コロニー数」は、検体に含まれる一般生菌のコロニー数を示す。「大腸菌コロニー数」は、検体に含まれる大腸菌のコロニー数を示す。「黄色ブドウ球菌コロニー数」は、検体に含まれる黄色ブドウ球菌のコロニー数を示す。「検査結果」は、各品物に対する衛生検査の結果を示す。例えば、「検査結果」は、衛生検査の結果が正常であれば、「OK」となる。また、「検査結果」は、衛生検査の結果が異常であれば、「NG」となる。なお、「検査結果」は、衛生検査が実施されていない場合、「-」となっている。「輸送時間」は、出荷工場から届け先に品物を輸送する時間である。「シャーレ画像１」は、一般生菌を検査する際のシャーレ画像である。「シャーレ画像２」は、大腸菌を検査する際のシャーレ画像である。「シャーレ画像３」は、黄色ブドウ球菌を検査する際のシャーレ画像である。【００２０】
表示データ１２２は、シャーレを撮影した各々の画像を含むデータである。以降では、シャーレを撮影した画像をシャーレ画像と呼ぶ。また、表示データ１２２は、各シャーレ画像を対応する検体の検体Ｎｏに対応付けている。なお、表示データ１２２のファイル形式は、例えば、ＧＩＦファイル、ＪＰＥＧファイル、ＢＭＰファイル等である。【００２１】
検体リスト１２３は、検査ＤＢ１２１から取得された各行のデータを含む。検査リスト１２３の構成は、検査ＤＢ１２１と同一であってもよい。検体リスト１２３は、検体ＤＢ１２１のこれから検査する検体に対応する一部の行を抽出したものである。従って、検体リスト１２３は、検査済みのデータを含まない。なお、以降では検体ＤＢ１２１を構成する各行のデータを検体データと呼ぶ。【００２２】
（制御部の各構成）
制御部１１０は、取得部１１１と、特定部１１２と、整列部１１３と、表示制御部１１４とを有する。制御部１１０の機能は、例えば、ＣＰＵ（Central  Processing  Unit）が所定のプログラムを実行することで実現することができる。また、制御部１１０の機能は、例えば、ＡＳＩＣ（Application  Specific  Integrated  Circuit）やＦＰＧＡ（Field  Programmable  Gate  Array）などの集積回路により実現することができる。【００２３】
実施例１においては、出荷後に品物を衛生検査する形態について説明する。例えば、出荷工場などの施設が出荷する品物には、生鮮食品等の消費期限の短いものがある。このような品物を輸送する場合、施設は、検査後に品物を出荷すると、品物の鮮度が損なわれる場合があるので、検査をおこなう前に品物を出荷することがある。そして、施設は、出荷後に品物を届けた相手先に検査結果を通知する。この場合において、制御部１１０の各構成がおこなう処理について以下に説明する。【００２４】
取得部１１１は、細菌コロニーが含まれた複数のシャーレのそれぞれについて各検体を特定する情報を取得する。例えば、取得部１１１は、図３の検体ＤＢ１２１から検査をおこなう検体Ｎｏ１１１〜１１４までデータを取得する。【００２５】
特定部１１２は、複数のシャーレのそれぞれにおいて細菌コロニーが培養された検体を特定する。特定部１１２は、各検体を、検体ＤＢ１２１から取得した検体データの検体Ｎｏによって特定する。【００２６】
整列部１１３は、特定した検体を製造した施設から、検体に代表される品物を出荷する相手先に到着するまでにかかる時間に基づいて、取得した検体を特定する情報を並べる。すなわち、整列部１１３は、輸送時間が短い順に、取得部１１１により取得された検体データを並び替えた検体リストを出力する。【００２７】
図４〜図８を用いて出荷後に品物を衛生検査する場合の整列部１１３および表示制御部１１４の処理について説明する。図４は、整列部によって検体データを並び替えられた検体リストの第一の例を示す図である。整列部１１３は、検体Ｎｏ「111」「112」「113」「114」の検体データから、輸送時間「20」「120」「20」「120」をそれぞれ取得する。次いで、整列部１１３は、輸送時間が短い順に、検体データを並び替える。すなわち、整列部１１３は、例えば、検体Ｎｏが「111」「113」「114」「112」の順になるように検体データを並び替える。そして、整列部１１３は、並び替えた検体リスト１２３を記憶部１２０に記憶する。すなわち、整列部１１３は、輸送時間が短い順に、取得部１１１により取得された検体Ｎｏを並び替えた検体リストを出力する。なお、整列部１１３は、検体Ｎｏ「111」および検体Ｎｏ「113」、検体Ｎｏ「112」および検体Ｎｏ「114」の輸送時間は同一であるので、検体リストにおいて順序を逆としてもよい。【００２８】
表示制御部１１４は、検査責任者が検査結果を入力するための結果判定ウィンドウ４００を表示する。表示制御部１１４は、結果判定ウィンドウ４００に結果判定リスト４０１を表示する。結果判定リスト４０１は、検査項目に対応する細菌コロニー数と、判定結果とを示すリストである。【００２９】
各検査項目で検査される菌の培養時間は、それぞれ異なる。そこで、表示制御部１１４は、検査される菌の培養時間が短い順に結果判定リスト４０１を表示してもよい。例えば、表示制御部１１４は、検査項目に黄色ブドウ球菌と、大腸菌と、一般生菌のコロニー数の検査があった場合に以下のように処理する。表示制御部１１４は、各菌を培養するまでの時間が最も短い黄色ブドウ球菌の検査が終了したときにコロニー数を結果判定リスト４０１に表示させる。次いで、表示制御部１１４は、黄色ブドウ球菌の検査が終了した後に、培養するまでの時間が次に短い大腸菌のコロニー数を表示させる。次いで、表示制御部１１４は、大腸菌の検査が終了した後に、培養するまでの時間が最も長い一般生菌のコロニー数を表示させる。【００３０】
図５は、結果判定ウィンドウの表示例を示す図である。結果判定ウィンドウ４００は、結果判定リスト４０１と、画像表示欄４０２と、規定内ボタン４１０と、規定外ボタン４１１と、確定ボタン４１２とを有する。結果判定リスト４０１は、判定結果と、検査項目に対応する細菌のコロニー数とを示す。画像表示欄４０２は、結果判定リスト４０１において選択された検体Ｎｏに対応するシャーレ画像を表示する欄である。規定内ボタン４１０は、コロニー数が正常な場合に押下するボタンである。規定外ボタン４１１は、コロニー数に異常がある場合に押下するボタンである。確定ボタン４１２は、規定内ボタン４１０または規定外ボタン４１１の選択を確定するときに押下するボタンである。【００３１】
次に、結果判定リスト４０１に含まれる各項目について説明する。結果判定リスト４０１は、検体Ｎｏと、判定結果と、黄色ブドウ球菌のコロニー数とを対応付ける。「検体Ｎｏ」は、検体ごとに一意に付される番号であり、検体ＤＢ１２１のものと同一である。「判定結果」は、黄色ブドウ球菌コロニー数が、規定内であるか規定外であるかを示す。なお、「判定結果」は、判定がおこなわれていない場合、「-」となっている。「黄色ブドウ球菌コロニー数」は、検体に含まれる黄色ブドウ球菌のコロニー数を示す。なお、「黄色ブドウ球菌コロニー数」の欄は、大腸菌のコロニー数を判定する場合、「大腸菌コロニー数」となり、一般生菌のコロニー数を判定する場合、「一般生菌コロニー数」となる。【００３２】
整列部１１３および表示制御部１１４の処理について具体例を挙げて説明する。まず、表示制御部１１４は、結果判定ウィンドウ４００に、黄色ブドウ球菌の結果判定リスト４０１を表示する。このとき、結果判定リスト４０１は、「黄色ブドウ球菌コロニー数」の欄に黄色ブドウ球菌コロニー数が入力されているが、「判定結果」の欄は「-」となっている。【００３３】
次いで、表示制御部１１４は、検査員により入力される検体データごとの判定結果にしたがい結果判定ウィンドウ４００の「判定結果」の欄に判定結果を入力する。例えば、表示制御部１１４は、結果判定ウィンドウ４００において、規定内ボタン４１０が押下された場合、判定結果が規定内である旨の情報を含む判定データを記憶部１２０に記憶させる。一方、表示制御部１１４は、結果判定ウィンドウ４００において、規定外ボタン４１１が押下された場合、判定結果が規定外である旨の情報を含む判定データを記憶部１２０に記憶させる。すなわち、判定データは、結果判定リスト４０１の各行のデータを示す。なお、表示制御部１１４は、結果判定ウィンドウ４００において、規定内ボタン４１０または規定外ボタン４１１が押下されたときに、次の結果判定リスト４０１内で次の行のシャーレ画像を表示してもよい。また、表示制御部１１４は、結果判定リストの行をクリックされたときに次のシャーレ画像を表示してもよい。【００３４】
例えば、表示制御部１１４は、結果判定ウィンドウ４００において、検体Ｎｏ「１１１」を選択し、検査員により規定内ボタン４１０が押下されると、判定結果を「規定内」とする。次いで、表示制御部１１４は、結果判定ウィンドウ４００において、検体Ｎｏ「１１３」を選択し、検査員により規定内ボタン４１０が押下されると、判定結果を「規定内」とする。表示制御部１１４は、結果判定ウィンドウ４００において、検体Ｎｏ「１１２」を選択し、検査員により規定内ボタン４１０が押下されると、判定結果を「規定内」とする。表示制御部１１４は、結果判定ウィンドウ４００において、検体Ｎｏ「１１４」を選択し、検査員により規定内ボタン４１０が押下されると、判定結果を「規定内」とする。【００３５】
現時点において、結果判定リスト４０１は、各検体の黄色ブドウ球菌のコロニー数を表示している。なお、結果判定リスト４０１は、各検査が終了する順に、黄色ブドウ球菌、大腸菌、一般生菌の順にコロニー数を表示する。表示制御部１１４は、各検査結果を表示する結果判定ウィンドウ４００において、規定外ボタン４１１が押下され、さらに確定ボタン４１２が押下されると、判定結果が規定外である旨の判定データを記憶部１２０に記憶させる。次いで、整列部１１３は、判定結果が規定外である旨の判定結果に基づいて当該判定データを上位に並び替える。次いで、表示制御部１１４は、次の検査項目に移る際に、並び替えられた判定データを読み出し、結果判定ウィンドウ４００に出力する。【００３６】
例えば、図５の例に示したように、黄色ブドウ球菌コロニー数は、全ての検体データで「0」を示しているので、全ての判定結果に「規定内」が入力されている。表示制御部１１４は、判定結果を判定データとして記憶部１２０に記憶させる。また、整列部１１３は、判定結果が全て「規定内」であるので、検体データの並び替えをおこなわない。【００３７】
表示制御部１１４は、黄色ブドウ球菌の判定が終了した後、記憶された判定データに基づき、大腸菌の結果判定リスト４０１を表示する。このとき、結果判定リスト４０１は、「大腸菌コロニー数」の欄に大腸菌コロニー数が入力されているが、まだ判定結果が入力されていないので「判定結果」の欄は「-」となっている。【００３８】
次いで、表示制御部１１４は、例えば、結果判定ウィンドウ４００において、検体Ｎｏ「１１１」を選択し、検査員により規定内ボタン４１０が押下されると、判定結果を「規定内」とする。次いで、表示制御部１１４は、結果判定ウィンドウ４００において、検体Ｎｏ「１１３」を選択し、検査員により規定外ボタン４１１が押下されると、判定結果を「規定外」とする。表示制御部１１４は、結果判定ウィンドウ４００において、検体Ｎｏ「１１２」を選択し、検査員により規定外ボタン４１１が押下されると、判定結果を「規定外」とする。表示制御部１１４は、結果判定ウィンドウ４００において、検体Ｎｏ「１１４」を選択し、検査員により規定内ボタン４１０が押下されると、判定結果を「規定内」とする。【００３９】
図６は、結果判定リストの第二の例を示す図である。図６の結果判定リスト４０１は、結果判定ウィンドウ４００に表示されている結果判定リスト４０１の部分のみを抜き出したものである。この時点において、結果判定リスト４０１は、各検体の大腸菌のコロニー数を示している。図６の結果判定リスト４０１では、検体Ｎｏ１１２および検体Ｎｏ１１３の判定結果が「規定外」となっている。表示制御部１１４は、判定結果を判定データとして記憶部１２０に記憶させる。次いで、整列部１１３は、輸送時間がより短い検体Ｎｏ１１２を１行目、輸送時間が次に短い検体Ｎｏ１１３を２行目にして検体データを並び替える。【００４０】
表示制御部１１４は、大腸菌の判定が終了した後、記憶された判定データに基づき、一般生菌の結果判定リスト４０１を表示する。このとき、結果判定リスト４０１は、「一般生菌コロニー数」の欄に一般生菌コロニー数が入力されているが、まだ判定結果が入力されていないので「判定結果」の欄は「-」となっている。表示制御部１１４は、黄色ブドウ球菌および大腸菌の検査と同様に判定結果に基づき判定データを記憶部１２０に記憶させる。【００４１】
次いで、表示制御部１１４は、例えば、結果判定ウィンドウ４００において、検体Ｎｏ「１１３」を選択し、検査員により規定外ボタン４１１が押下されると、判定結果を「規定外」とする。次いで、表示制御部１１４は、結果判定ウィンドウ４００において、検体Ｎｏ「１１２」を選択し、検査員により規定外ボタン４１１が押下されると、判定結果を「規定外」とする。表示制御部１１４は、結果判定ウィンドウ４００において、検体Ｎｏ「１１１」を選択し、検査員により規定内ボタン４１０が押下されると、判定結果を「規定内」とする。表示制御部１１４は、結果判定ウィンドウ４００において、検体Ｎｏ「１１４」を選択し、検査員により規定内ボタン４１０が押下されると、判定結果を「規定内」とする。【００４２】
図７は、結果判定リストの第三の例を示す図である。図７の結果判定リスト４０１は、結果判定ウィンドウ４００の結果判定リスト４０１の部分を抜き出したものである。表示制御部１１４は、整列部１１３によって並び替えられた順に結果判定リスト４０１に各検体データを表示する。【００４３】
次いで、コロニー検査装置１００は、各検査項目の判定データに基づいて検体リスト１２３の「検査結果」の欄を更新する。コロニー検査装置１００は、各検査項目の判定結果に「規定外」となっているものが一つでも含まれる場合、検体リスト１２３の「検査結果」の欄に「NG」を入力する。【００４４】
例えば、コロニー検査装置１００は、検体Ｎｏ１１１に対応する検査結果の欄に「OK」を入力する。また、コロニー検査装置１００は、検体Ｎｏ１１２に対応する検査結果の欄に「NG」を入力する。また、コロニー検査装置１００は、検体Ｎｏ１１３に対応する検査結果の欄に「NG」を入力する。また、コロニー検査装置１００は、検体リスト１２３で検体Ｎｏ１１４の検査結果の欄に「OK」を入力する。【００４５】
また、表示制御部１１４は、結果判定ウィンドウ４００において結果判定リスト４０１の各行がクリックされた際に、クリックされた行の検体Ｎｏに対応するシャーレ画像を表示する。なお、表示制御部１１４は、確定ボタン４１２が押下され判定結果が確定したときに自動的に次のシャーレ画像に切り替えてもよい。【００４６】
（コロニー検査装置における処理の流れ）
次に、コロニー検査装置１００における処理の流れについて説明する。図８は、コロニー検査装置が結果判定リストを表示するまでの処理動作の例を示す図である。まず、取得部１１１は、検体ＤＢ１２１から検体リスト１２３を取得する（ステップＳ１０）。例えば、検体リスト１２３は、検体ＤＢ１２１から、検査対象の検体に対応する各行のデータを抽出したものである。従って、検体リスト１２３は、検査済みのデータを含まない。次いで、特定部１１２は、各検体を、検体ＤＢ１２１から取得した検体データの検体Ｎｏにより特定する。【００４７】
次いで、整列部１１３は、検体リスト内の各検体データから検体ごとの輸送時間を取得する（ステップＳ１１）。次いで、整列部１１３は、検体リストにおいて輸送時間が短い順に各検体データを並び替える（ステップＳ１２）。次いで、整列部１１３は、検体リストにおいて判定結果がＮＧの検体データを上位に並び替える（ステップＳ１３）。整列部１１３は、並び替えた検体リストを記憶部１２０に記憶させる。【００４８】
次いで、表示制御部１１４は、並び替えた後の検体リスト１２３を記憶部１２０から読み込み、検体リスト１２３の中から、「検体Ｎｏ」および培養が終了した検査項目に係る菌類のコロニー数を、結果判定ウィンドウ４００の結果判定リスト４０１にコピーする。なお、結果判定ウィンドウ４００の表示例は、図５に示されている。次いで、表示制御部１１４は、結果判定リスト４０１を表示する（ステップＳ１４）。次いで、表示制御部１１４は、次の検査項目がある場合（ステップＳ１５Yes）、ステップＳ１３に戻る。一方、表示制御部１１４は、次の検査項目がない場合（ステップＳ１５No）、処理を終了させる。なお、各検査項目で検査される菌の培養時間は、それぞれ異なるので、表示制御部１１４は、検査される菌の培養時間が短い順に結果判定リスト４０１を表示してもよい。【００４９】
（結果判定処理の流れ）
次に、結果判定処理の流れについて説明する。表示制御部１１４は、結果判定ウィンドウ４００に、整列部１１３によって並び替えられた結果判定リスト４０１を表示する。なお、結果判定ウィンドウ４００の表示例は、図５に示されている。表示制御部１１４は、検査項目ごとに結果判定リスト４０１を表示する。例えば、表示制御部１１４は、黄色ブドウ球菌、大腸菌、一般生菌のコロニー数を検査項目として、それぞれを結果判定リスト４０１に表示する。コロニー検査装置１００は、結果判定リスト４０１の表示行１行目から最後の行まで順に判定結果を受け付ける。表示制御部１１４は、判定結果に基づき結果判定リスト４０１の「判定結果」の欄を変更する。以下、各検査項目でなされる結果判定処理の流れについて具体的に説明する。【００５０】
図９は、結果判定処理の一例を示す図である。まず、表示制御部１１４は、結果判定ウィンドウ４００の画像表示欄４０２に、結果判定リスト４０１の検体Ｎｏに対応するシャーレ画像を表示する（ステップＳ２０）。次いで、コロニー検査装置１００は、判定結果が入力されると、表示行１行目に係る検体の判定結果を受け付ける（ステップＳ２１）。コロニー検査装置１００は、判定結果がＯＫである旨を受け付けた場合（ステップＳ２２Yes）、ステップＳ２４の処理に移る。一方、コロニー検査装置１００は、判定結果がＮＧである旨を受け付けた場合（ステップＳ２２No）、判定結果にＮＧを設定する（ステップＳ２３）。【００５１】
次いで、表示制御部１１４は、ステップＳ２４において次の検体がある場合（ステップＳ２４Yes）、ステップＳ２０に戻り、次の検体の結果判定リスト４０１を表示する。一方、表示制御部１１４は、ステップＳ２４において次の検体がない場合（ステップＳ２４No）、処理を終了させる。【００５２】
（実施例１の効果）
コロニー検査装置１００は、細菌コロニーが含まれた複数のシャーレのそれぞれについて各検体を特定する情報を取得する取得部１１１と、複数のシャーレのそれぞれにおいて細菌コロニーが培養された検体をそれぞれ特定する特定部１１２とを有する。さらに、コロニー検査装置１００は、特定した検体を製造した施設から、該検体に代表される品物を出荷する相手先に到着するまでにかかる時間に基づいて、取得した検体を特定する情報を並べる整列部１１３を有する。さらに、コロニー検査装置１００は、並べた検体を特定する情報を一覧表示する表示制御部１１４を有する。これにより、検体の検査順序または撮影順序を適切に設定できる。なお、撮影順序の設定に関しての詳細は、後述する。【００５３】
また、整列部１１３は、例えば、特定した検体を製造した施設から、該検体に代表される品物を出荷する相手先に到着するまでにかかる時間が短い順に検体を特定する情報を並べる。これにより、放置された品物の衛生検査が遅れ、施設から届いた品物を店頭に陳列したり、施設から届いた品物を二次加工したりする時期も遅れるという不利益を避けることができる。【００５４】
また、検体Ｎｏは、一つの検体について複数種類の細菌をそれぞれ培養したシャーレの画像を含む。また、整列部１１３は、一つの検体について複数種類の細菌を培養したシャーレの画像のうちのいずれか一つで、異常判定がなされた場合に、該検体についての残りの種類の細菌を培養したシャーレの画像をリストの上位に並べる。
【実施例２】
【００５５】
実施例２においては、出荷前に品物を衛生検査する形態について説明する。例えば、施設が出荷する品物には、冷凍食品のように賞味期限が長いものがある。この場合、施設は、検査後に品物を出荷する。この場合に制御部１１０の各構成がおこなう処理について、以下に説明する。【００５６】
取得部１１１は、図３の検体ＤＢ１２１から衛生検査をおこなう検体Ｎｏ１１１〜１１４まで検体データを取得する。次いで、特定部１１２は、各検体を、検体ＤＢ１２１から取得した検体データの検体Ｎｏにより特定する。【００５７】
整列部１１３は、輸送時間に基づき取得部１１１が取得した検体データを並び替える。【００５８】
図１０を用いて出荷前に品物を衛生検査する場合の整列部１１３の処理について説明する。図１０は、整列部１１３が作成した検体リストの第二の例を示す図である。整列部１１３は、取得部１１１により取得された検体データの検体Ｎｏ「111」「112」「113」「114」の検体データから、各輸送時間「20」「120」「20」「120」を取得する。次いで、整列部１１３は、輸送時間が長い順に、検体データを並び替える。すなわち、整列部１１３は、検体Ｎｏが「112」「114」「111」「113」の順になるように検体データを並び替える。なお、整列部１１３は、検体Ｎｏ「111」および検体Ｎｏ「113」、検体Ｎｏ「112」および検体Ｎｏ「114」の輸送時間は同一であるので、検体リスト１２３において順序を逆としてもよい。【００５９】
整列部１１３および表示制御部１１４の処理について具体例を挙げて説明する。まず、コロニー検査装置１００は、結果判定リスト４０１の「黄色ブドウ球菌コロニー数」の欄に黄色ブドウ球菌コロニー数を表示させる。また、コロニー検査装置１００は、検体リスト１２３に基づいて生成された結果判定リスト４０１が結果判定ウィンドウ４００に表示される初期の状態では、結果判定リスト４０１の「判定結果」の欄に「-」を表示する。【００６０】
表示制御部１１４は、検体データごとの判定結果にしたがい「判定結果」の欄に判定結果を入力する。なお、表示制御部１１４は、結果判定ウィンドウ４００において、規定内ボタン４１０または規定外ボタン４１１が押下されたときに、次の結果判定リスト４０１内で次の行のシャーレ画像を表示してもよい。また、表示制御部１１４は、結果判定リストの行をクリックされたときに次のシャーレ画像を表示してもよい。図１１は、結果判定リストの第四の例を示す図である。図１１に示した例では、黄色ブドウ球菌コロニー数は、全ての検体データで「0」であり、判定結果が全て「規定内」となった場合の結果判定リストを示している。表示制御部１１４は、判定結果を判定データとして記憶部１２０に記憶させる。また、整列部１１３は、判定結果が全て「規定内」となっているので、検体データの並び替えをおこなわない。【００６１】
表示制御部１１４は、黄色ブドウ球菌の検査が終了した後、記憶部１２０に記憶された判定データに基づき、大腸菌の結果判定リスト４０１を表示する。このとき、コロニー検査装置１００は、結果判定リスト４０１の「大腸菌コロニー数」の欄に大腸菌コロニー数を表示させる。また、コロニー検査装置１００は、検体リスト１２３に基づいて生成された結果判定リスト４０１が結果判定ウィンドウ４００に表示される初期の状態では、結果判定リスト４０１の「判定結果」の欄に「-」を表示させる。図１２は、結果判定リストの第五の例を示す図である。図１２に示した例では、コロニー検査装置１００は、整列部１１３によって黄色ブドウ球菌のコロニー数の判定結果に従って、並び替えられた検体リスト１２３に基づき結果判定リスト４０１を表示させる。図１２の結果判定リスト４０１では、検体Ｎｏ１１２および検体Ｎｏ１１３の判定結果が「規定外」となっている。表示制御部１１４は、判定結果を判定データとして記憶部１２０に記憶させる。次いで、整列部１１３は、検体Ｎｏ１１２を３行目、検体Ｎｏ１１３を４行目にして検体リスト１２３を並び替える。【００６２】
表示制御部１１４は、大腸菌の検査が終了した後、記憶部１２０に記憶されている判定データに基づき、一般生菌の結果判定リスト４０１を表示する。このとき、コロニー検査装置１００は、結果判定リスト４０１の「一般生菌コロニー数」の欄に一般生菌コロニー数を表示させる。また、コロニー検査装置１００は、検体リスト１２３に基づいて生成された結果判定リスト４０１が結果判定ウィンドウ４００に表示される初期の状態では、結果判定リスト４０１の「判定結果」の欄に「-」を表示させる。【００６３】
図１３は、結果判定リストの第六の例を示す図である。図１３に示した例では、コロニー検査装置１００は、整列部１１３によって大腸菌のコロニー数の判定結果に従って、並び替えられた検体リスト１２３に基づき、結果判定リスト４０１を表示させる。表示制御部１１４は、整列部１１３によって並び替えられた順に結果判定リスト４０１に各検体データを表示する。表示制御部１１４は、判定結果を判定データとして記憶部１２０に記憶させる。そして、コロニー検査装置１００は、各検査項目の判定データに基づいて検体リスト１２３の「検査結果」の欄を更新する。コロニー検査装置１００は、各検査項目の判定結果に「規定外」となっているものが一つでも含まれる場合、検体リスト１２３の「検査結果」の欄に「NG」を入力する。【００６４】
（コロニー検査装置における処理の流れ）
次に、コロニー検査装置１００における処理の流れについて説明する。図１４は、コロニー検査装置が結果判定リストを表示するまでの処理動作の例を示す図である。まず、取得部１１１は、検体ＤＢ１２１の一部の行を検体リストとして取得する（ステップＳ３０）。次いで、特定部１１２は、各検体を、検体ＤＢ１２１から取得した検体データの検体Ｎｏにより特定する。【００６５】
次いで、整列部１１３は、検体データから検体ごとの輸送時間を取得する（ステップＳ３１）。次いで、整列部１１３は、輸送時間が長い順に検体データを整列する（ステップＳ３２）。次いで、整列部１１３は、検査結果がＮＧの検体データを検体リスト１２３の下位に並び替える（ステップＳ３３）。次いで、表示制御部１１４は、検体リスト１２３の一部を抽出し、結果判定リスト４０１として表示させる。次いで、表示制御部１１４は、結果判定リスト４０１を表示する（ステップＳ３４）。次いで、表示制御部１１４は、次の検査項目がある場合（ステップＳ３５Yes）、ステップＳ３３に戻る。一方、表示制御部１１４は、次の検査項目がない場合（ステップＳ３５No）、処理を終了させる。【００６６】
（実施例２の効果）
整列部１１３は、例えば、輸送時間が長い順にシャーレを特定する情報を並べる。例えば、整列部１１３は、輸送時間が長い順に、取得部１１１により取得された検体データを並び替えた検体リスト１２３を出力する。次いで、表示制御部１１４は、出力された検体リスト１２３に基づき、検査される菌の培養時間が長い順に結果判定リスト４０１を表示させる。次いで、コロニー検査装置１００は、結果判定リスト４０１の順に、各検体に対応するシャーレ画像等を表示させる。このとき、コロニー検査装置１００は、検査責任者から各検体の判定結果の入力を受け付ける。これにより、輸送時間が長い検体データを優先させるので検査結果が出るのを待つために品物の相手先への到着が予定に間に合わず、相手先で店頭への陳列や二次加工を予定通りに実施できないという不利益を避けることができる。【００６７】
検体Ｎｏは、一つの前記検体について複数種類の細菌をそれぞれ培養したシャーレの画像を含む。また、整列部１１３は、一つの検体について複数種類の細菌を培養したシャーレの画像のうちのいずれか一つで、異常判定がなされた場合に、該検体についての残りの種類の細菌を培養したシャーレの画像をリストの下位に並べる。これにより、異常判定を含む検査データの優先順位を下げさせるので検査結果が出るのを待つために品物の相手先への到着が予定に間に合わず、相手先で店頭への陳列や二次加工を予定通りに実施できないという不利益を避けることができる。【００６８】
（他の実施態様）
実施例１および実施例２においては、記憶部１２０が検体リスト１２３を有する旨を説明した。これに限定されず、検体リスト１２３は、ＣＤ−ＲＯＭやＤＶＤディスク、ＵＳＢ（Universal  Serial  Bus）メモリ等の可搬型記録媒体、フラッシュメモリ等の半導体メモリ、外部記憶装置に記憶されてもよい。【００６９】
また、シャーレ内のコロニー数のカウントは、検査員が目視でカウントしても、コロニーカウンタ等の装置を使用して自動でおこなってもよい。【００７０】
実施例１および実施例２においては、整列部１１３が輸送時間に応じて並び替えを行い、さらに、各検査項目の判定結果にしたがい並び替えをおこなう旨を説明した。これに限定されず、整列部１１３は、輸送時間で並び替えをおこなった後、各検査項目の判定結果にしたがい並び替えをおこなわなくてもよい。【００７１】
表示制御部１１４は、結果判定ウィンドウ４００において、規定内ボタン４１０または規定外ボタン４１１が押下されたときに、次の結果判定リスト４０１内で次の行のシャーレ画像を表示してもよい。また、表示制御部１１４は、結果判定リストの行をクリックされたときに次のシャーレ画像を表示してもよい。【００７２】
（シャーレを撮影する順序）
実施例１において検査員は、シャーレを撮影する装置のモニタに表示された検体Ｎｏを参照して、当該検体Ｎｏに対応するシャーレを装置にセットし、シャーレを撮影することを説明した。シャーレを撮影する順序を以下のように設定してもよい。【００７３】
まず、検査員は、食品の一部を検体として採取して検体Ｎｏを付す。次いで、検査員は、検査項目に一般生菌、大腸菌、黄色ブドウ球菌のコロニー数の検査がある場合、採取した検体を３つに分離してシャーレに入れる。次いで、検査員は、各シャーレを菌が育ちやすい温度で１〜２日程度保温することにより、各シャーレ内の検体を培養する。【００７４】
一方、コロニー検査装置１００は、食品の輸送時間に基づき、検査員によって培養された検体の撮影順序を並び替える。具体的には、整列部１１３は、まず、検査ＤＢ１２１から取得された検体リスト１２３に対して、輸送時間に応じて検体リスト１２３の並び替えをおこなう。例えば、整列部１１３は、実施例１のように輸送時間が短い順に並べてもよい。また、整列部１１３は、実施例２のように輸送時間が長い順に並べてもよい。次いで、整列部１１３は、シャーレを撮影する装置のモニタに、並び替えた順に検体データを表示させる。【００７５】
一方、検査員は、シャーレを撮影する装置のモニタに検体Ｎｏが示されているので、検体Ｎｏに対応するシャーレを装置にセットして検体を撮影する。コロニー検査装置１００は、当該シャーレの撮影終了後に、次の検体データを表示させる。そして、コロニー検査装置１００は、全ての検査が終了した後、各検体の検査を、検体の撮影順に実施する。これにより、リストに登載された検体の順に検体を撮影する場合に、撮影が終了した検体の順に衛生検査が実施される不利益を避けることができる。【００７６】
（一つのロットに対して複数の輸送時間がある場合）
検査ＤＢ１２１の「ロット」は、検査対象の品物が同じものに一意に付されることを説明した。ロットは、届け先が異なる場合であっても検査対象の品物が同じであれば、同じものが付される場合がある。図１５は、一つのロットに対して複数の輸送時間がある場合の検体リストを示した図である。検体Ｎｏ１１１〜１１３の検体データは、同じ検体名でありながら同じロットが付されている。【００７７】
整列部１１３は、出荷後に品物を衛生検査する形態で出荷する場合に、同じロットが付された検体データのうち、最も輸送時間の短いものを使用して検体データを並び替える。【００７８】
図１６は、一つのロットに対して複数の輸送時間がある場合に整列部が並び替えをおこなった検体リストの第一の例を示す図である。整列部１１３は、検体Ｎｏ１１１〜１１３の検体データのうち、輸送時間が「30」と最も短い検体Ｎｏ１１１の輸送時間を用いて検体データを並び替える。図１６に示すように、整列部１１３は、輸送時間が「20」の検体Ｎｏ１１５の下に検体Ｎｏ１１１〜１１３の検体データを並ばせる。【００７９】
一方、整列部１１３は、出荷後に品物を衛生検査する形態で出荷する場合に、同じロットが付された検体データのうち、最も輸送時間の長いものを使用して検体データを並び替える。【００８０】
図１７は、一つのロットに対して複数の輸送時間がある場合に整列部が並び替えをおこなった検体リストの第二の例を示す図である。整列部１１３は、検体Ｎｏ１１１〜１１３の検体データのうち、輸送時間が「90」と最も長い検体Ｎｏ１１２の輸送時間を用いて検体データを並び替える。図１７に示すように、整列部１１３は、輸送時間が「120」の検体Ｎｏ１１６の下に検体Ｎｏ１１１〜１１３の検体データを並ばせる。【００８１】
以上のように、整列部が検体データを並び替えることによりロットが同じ場合、検査結果が同じとなることが多いので、同じロットを一まとめとすることで検査の効率を向上させることができる。【００８２】
（賞味期限または消費期限を用いた整列）
整列部１１３は、輸送時間が同じで賞味期限または消費期限が異なる検体データがある場合に、賞味期限または消費期限が短い順に検体データを並べてもよい。図１８は、賞味期限を項目に含む検体リストの一例を示す図である。検体Ｎｏ１１１および検体Ｎｏ１１３は、輸送時間が「20」で同一である。また、検体Ｎｏ１１２および検体Ｎｏ１１４は、輸送時間が「120」で同一である。【００８３】
図１９は、消費期限を項目に含む検体リストを、整列部が並び替えた場合の一例を示す図である。この場合、整列部１１３は、輸送時間が「20」で消費期限が検体Ｎｏ１１３よりも短い、検体Ｎｏ１１１の検体データを一行目にする。次いで、整列部１１３は、輸送時間が「20」の検体Ｎｏ１１３の検体データを二行目にする。次いで、整列部１１３は、輸送時間が「120」で消費期限が検体Ｎｏ１１２よりも短い、検体Ｎｏ１１４の検体データを三行目にする。次いで、整列部１１３は、輸送時間が「120」の検体Ｎｏ１１２の検体データを四行目にする。これにより、消費期限の短い検体を優先して輸送することができる。なお、整列部１１３は、検体リスト１２３が賞味期限を含んでいた場合も、上記と同様に検体リスト１２３を整列する。【００８４】
（表示端末のハードウェア構成）
図２０は、コロニー検査装置に係るコンピュータのハードウェア構成を示す図である。図２０が示すように、コンピュータ５００は、各種演算処理を実行するＣＰＵ５０１と、ユーザからのデータ入力を受け付ける入力装置５０２と、モニタ５０３とを有する。また、コンピュータ５００は、記憶媒体からプログラム等を読み取る媒体読取装置５０４と、他の装置と接続するためのインターフェース装置５０５と、他の装置と無線により接続するための無線通信装置５０６とを有する。また、コンピュータ５００は、各種情報を一時記憶するＲＡＭ（Random  Access  Memory）５０７と、ハードディスク装置５０８とを有する。また、各装置５０１〜５０８は、バス５０９に接続される。【００８５】
ハードディスク装置５０８には、図２に示した制御部１１０の取得部１１１、特定部１１２、整列部１１３および表示制御部１１４の各処理部と同様の機能を有するコロニー検査プログラムが記憶される。また、ハードディスク装置５０８には、コロニー検査プログラムを実現するための各種データが記憶される。【００８６】
ＣＰＵ５０１は、ハードディスク装置５０８に記憶された各プログラムを読み出して、ＲＡＭ５０７に展開して実行することで、各種の処理を行う。また、これらのプログラムは、コンピュータ５００を、図２に示した取得部１１１、特定部１１２、整列部１１３および表示制御部１１４として機能させることができる。【００８７】
なお、上記のコロニー検査プログラムは、必ずしもハードディスク装置５０８に記憶されている必要はない。例えば、コンピュータ５００が読み取り可能な記憶媒体に記憶されたプログラムを、コンピュータ５００が読み出して実行するようにしてもよい。コンピュータ５００が読み取り可能な記憶媒体は、例えば、ＣＤ−ＲＯＭやＤＶＤディスク、ＵＳＢ（Universal  Serial  Bus）メモリ等の可搬型記録媒体、フラッシュメモリ等の半導体メモリ、ハードディスクドライブ等が対応する。また、公衆回線、インターネット、ＬＡＮ（Local  Area  Network）等に接続された装置にこのプログラムを記憶させておき、コンピュータ５００がこれらからプログラムを読み出して実行するようにしてもよい。
【符号の説明】
【００８８】
１００      コロニー検査装置
１０１      Ｉ／Ｆ
１０２      表示部
１０３      出力部
１１０      制御部
１１１      取得部
１１２      特定部
１１３      整列部
１１４      表示制御部
１２０      記憶部
１２１      検査ＤＢ
１２２      表示データ
１２３      検体リスト
【図１】
2015040678.tif 000003
【図２】
2015040678.tif 000004
【図３】
2015040678.tif 000005
【図４】
2015040678.tif 000006
【図５】
2015040678.tif 000007
【図６】
2015040678.tif 000008
【図７】
2015040678.tif 000009
【図８】
2015040678.tif 000010
【図９】
2015040678.tif 000011
【図１０】
2015040678.tif 000012
【図１１】
2015040678.tif 000013
【図１２】
2015040678.tif 000014
【図１３】
2015040678.tif 000015
【図１４】
2015040678.tif 000016
【図１５】
2015040678.tif 000017
【図１６】
2015040678.tif 000018
【図１７】
2015040678.tif 000019
【図１８】
2015040678.tif 000020
【図１９】
2015040678.tif 000021
【図２０】
2015040678.tif 000022
【手続補正書】
【提出日】平成28年3月11日(2016.3.11)
【手続補正１】
【補正対象書類名】特許請求の範囲
【補正対象項目名】全文
【補正方法】変更
【補正の内容】
【特許請求の範囲】
【請求項１】
コンピュータに
細菌コロニーが培養された複数の検体のそれぞれについて各検体を特定する情報を取得し、
取得した前記検体を特定する情報のそれぞれにおいて、前記検体を製造した施設から、該検体に代表される品物を出荷する相手先に到着するまでにかかる時間に基づいて、前記検体を特定する情報を並べ、
並べた前記検体を特定する情報を一覧表示する
処理を実行させることを特徴とする、コロニー検査プログラム。
【請求項２】
前記並べる処理は、前記時間が短い順に前記検体を特定する情報を並べることを特徴とする請求項１に記載のコロニー検査プログラム。
【請求項３】
前記並べる処理は、前記時間が長い順に前記検体を特定する情報を並べることを特徴とする請求項１に記載のコロニー検査プログラム。
【請求項４】
前記並べる処理は、前記時間が同一である前記検体を特定する情報を並べる場合に、前記検体に代表される品物の賞味期限または消費期限が短い順に前記検体を特定する情報を並べることを特徴とする請求項１に記載のコロニー検査プログラム。
【請求項５】
前記検体を特定する情報には、一つの前記検体について複数種類の細菌をそれぞれ培養したシャーレの画像が対応付けられており、
前記並べる処理は、一つの前記検体について複数種類の細菌を培養したシャーレの画像のうちのいずれか一つで、異常判定がなされた場合に、該検体についての残りの種類の細菌を培養した前記検体を特定する情報を前記一覧の上位または下位に並べることを特徴とする請求項１に記載のコロニー検査プログラム。
【請求項６】
細菌コロニーが培養された複数の検体のそれぞれについて各検体を特定する情報を取得する取得部と、
前記取得部が取得した前記検体を特定する情報のそれぞれにおいて、前記検体を製造した施設から、該検体に代表される品物を出荷する相手先に到着するまでにかかる時間に基づいて、前記検体を特定する情報を並べる整列部と、
前記整列部が並べた前記検体を特定する情報を一覧表示する表示制御部と
を有することを特徴とする、コロニー検査装置。
【請求項７】
コンピュータが
細菌コロニーが培養された複数の検体のそれぞれについて各検体を特定する情報を取得し、
取得した前記検体を特定する情報のそれぞれにおいて、前記検体を製造した施設から、該検体に代表される品物を出荷する相手先に到着するまでにかかる時間に基づいて、前記検体を特定する情報を並べ、
並べた前記検体を特定する情報を一覧表示する
処理を実行することを特徴とする、コロニー検査方法。
【国際調査報告】
2015040678.tif 000023
2015040678.tif 000024
2015040678.tif 000025
2015040678.tif 000026